(57)【特許請求の範囲】
【請求項１】
連結タップ(25)を有し、対象物(14)を受板(60)上に固定するためのホルダ(20)において、
上記ホルダ(20)は、上記連結タップ(25)が下面に垂直に固定された旋回テーブル(30)と、この旋回テーブル(30)の上面の上記連結タップに直交する第１の軸をもつ円筒状の案内面(33,35)に縁部分(44,46)を載せて旋回可能に取り付けられた中間部材(40)と、この中間部材(40)の支持板(48)にボルトを介して旋回可能に取り付けられた基準要素(54,56)をもつ連結機構(50)とを備え、上記受板(60)は、受板をホルダ上に固定する際に再現できる一義的位置を上記基準要素(54,56)と協働して決定する対向基準要素を有し、上記連結機構(50)は、上記第１の軸の周りに上記連結タップ(25)に対して相対旋回できることを特徴とするホルダ。
【請求項２】
請求項１に記載のホルダにおいて、上記連結機構(50)は、上記受板(60)と直交する第２の軸としての上記ボルトの周りに旋回できることを特徴とするホルダ。
【請求項３】
請求項１または２に記載のホルダにおいて、上記第１の軸は、上記連結タップ(25)の軸に対して側方へずらされていることを特徴とするホルダ。
【請求項４】
請求項１乃至３のいずれか１つに記載のホルダにおいて、上記第１の軸は、上記連結タップ(25)に対して連結機構(50)の上方にあることを特徴とするホルダ。
【請求項５】
請求項１乃至４のいずれか１つに記載のホルダにおいて、上記中間部材(40)は、上記案内面(33,35)と協働する相補的な案内を有することを特徴とするホルダ。
【請求項６】
請求項５に記載のホルダにおいて、上記ボルトは、外周に亘って均等に配置された複数のノッチを備えたことを特徴とするホルダ。
【請求項７】
請求項１乃至６のいずれか１つに記載のホルダにおいて、上記基準要素(54,56)および対向基準要素は、複数組あって、各組は、上記受板(60)が予め定められた角度位置においてのみ上記連結機構(50)に連結されうるような形状になっていることを特徴とするホルダ。
【請求項８】
請求項１乃至７のいずれか１つに記載のホルダにおいて、上記基準要素は、上記板状の連結機構(50)に設けられた凹部であり、上記対向基準要素は、上記凹部に適合し、上記受板(60)から突出するノブであることを特徴とするホルダ。
【請求項９】
請求項１乃至７のいずれか１つに記載のホルダにおいて、上記対向基準要素は、上記受板に設けられた凹部であり、上記基準要素は、上記凹部に適合し、上記板状の連結機構から突出するノブであることを特徴とするホルダ。
【請求項１０】
請求項１乃至９のいずれか１つに記載のホルダにおいて、磁気的に作用し、上記連結機構(50)上に載せられた受板(60)を取り外し可能に固定する保持装置(52)を備えたことを特徴とするホルダ。
【請求項１１】
請求項１０に記載のホルダにおいて、上記連結機構は、少なくとも１つの永久磁石(52)を有し、上記受板は、少なくとも部分的に磁化されうることを特徴とするホルダ。
【請求項１２】
請求項１１に記載のホルダにおいて、上記ボルトに、永久磁石(52)が組み込まれていることを特徴とするホルダ。
【請求項１３】
請求項１０に記載のホルダにおいて、上記受板は、少なくとも１つの永久磁石を載せ、上記連結要素は、少なくとも部分的に磁化されうることを特徴とするホルダ。
【請求項１４】
請求項５乃至１３のいずれか１つに記載のホルダにおいて、上記旋回テーブル(30)または上記中間部材(40)の少なくともいずれかは、上記旋回テーブルに対する上記中間部材の相対旋回位置を一時的に固定する固定要素を備えたことを特徴とするホルダ。
【発明の詳細な説明】
【０００１】
【発明の属する技術分野】
本発明は、受板上に固定された連結タップをもつ例えば歯科モデルなどの対象物のためのホルダに関する。
【０００２】
【従来の技術】
ドイツ特許公開第ＤＥ-４４１６１０８-Ａ１号公報に開示された方法によって下顎モデルの歯を非接触で光学的に測定する際、上方から光を照射したとき、影の部分が生じない、つまり歯の総ての部分が照射されるように、下顎モデルを方向づけ、あるいは傾けて受板上に固定することが重要である。従来、このような下顎モデルの受板上での調整は、変形可能なキット(パテ)によって行なわれていて、非常に費用と手間のかかるものであった。本発明の目的は、特に上述の種類の対象物の調整を容易にすることである。
【０００３】
【課題を解決するための手段】
上記目的を達成するため、本発明によるホルダは、連結タップが、基準要素をもつ連結機構に連結され、ホルダを受板に固定する際に一義的な位置を上記基準要素と協働して決定する対向基準要素が、受板に設けられるとともに、連結機構が、連結タップの軸に直交する第１の軸の周りに連結タップに対して旋回できるようになっている。本発明は、対象物を受板上の概略正しい位置に固定するだけでよく、対象物の正確な位置は、連結機構に連結された受板を旋回させることによって容易に確定することができるという利点をもたらす。
【０００４】
連結機構は、中間部材の支持板に受板と直交するように設けられた第２の軸としてのボルトの周りにも旋回できるのが目的に適っている。これは、対象物の調整可能性を拡大する。上記第１の軸は、連結タップの軸に対して側方にずらされていて、対象物が連結機構に連結されたとき、連結機構の上方で略対象物を貫いて延在するのが好ましい。
【０００５】
本発明の有利な実施形態では、旋回テーブルの軸に直交する第１の軸をもつ円筒状の案内面を上面にもつ旋回テーブルの下面に、上記連結タップが垂直に固定され、上記連結機構を搭載し、かつ上記案内面と協働する相補的案内面をもつシーソー状の中間部材が、上記旋回テーブルに対して旋回できるようになっている。連結機構を、ボルトを介して中間部材に連結することが推奨される。不連続な角度ステップを連ねるだけで連結機構を旋回させることができるなら、ピボット軸受にその全周に亘って例えば均等に配置された複数のノッチを設けるのが目的に適っている。
【０００６】
受板を連結機構に対して常に同一方向に向けてこの連結機構に装着するのを保証するためには、基準要素が不揃いな形状を有し、対向基準要素も対応する不揃いな形状を有するような造形が有利である。
【０００７】
さらに、本発明の有利な実施形態は、目的に適って磁気的に作用する保持装置を備え、この保持装置は、連結機構に載せられる受板を取り外し可能に固定する。この保持装置は、例えば連結機構に固定される１つ以上の永久磁石を備えることができる。ピボット軸受の中心に、中心穴を場合によっては設けた永久磁石を嵌め込むのが好都合である。
【０００８】
本発明の他の好ましい実施形態は、下位の請求項に述べられている。本発明の好ましい適用例として、下顎などの歯科モデルあるいは宝石などの装身具の測定が考慮に値する。次に、本発明を添付の図面を参照して実施の形態について詳細に説明する。
【０００９】
【発明の実施の形態】
ドイツ特許公開第ＤＥ-４４１６１０８号公報に開示された方法によって下顎を光学的に測定する装置が、図４に示されている。中実の板１から上方へスタンド２が立ち上がり、スタンドの自由上端に投影機３が載せられている。例えばＣＣＤカメラ５の形態の撮影カメラは、板１に固定された角枠４に吊るされ、撮影カメラの(z軸とも称す)光軸６は、板１に支承された大きくて丸い旋回テーブル８の平坦な表面７に直交し、この表面７の中心を貫いて延びている。投影機３は、格子状に変調された光を投影軸(ｙ軸)９に沿って放出し、この投影軸９は、表面７の上方で測定されるべき対象物１４の略中心において、略３０°の投影角αをなしてｚ軸６と交差する。表面７上に架台１０が偏心して載せられ、小さな回転テーブル１１は、ｙ軸に直交する架台１０の表面１２に固定されて、対象物１４をもつホルダ２０を支えている。
【００１０】
３つの部分からなるホルダ２０は、旋回テーブル３０と、中間部材４０と、受板６０に固定された下顎６８が載せられる連結機構５０とを備える。
【００１１】
上記旋回テーブルの下面には、例えば中実材料からなる連結タップ２５が固定され、この連結タップは、小さい回転テーブル１１内の図示しない受部に挿入されて、拘束される。旋回テーブル３０は、上方から見て円弧状の輪郭を有し、この輪郭は、脚部３４,３６をもつ概ねＣ字状のボディ３２によって形成される。脚部３４,３６の自由端は、横ウェブ３８によって連結されている。脚部３４,３６には、円筒殻状の案内面３３,３５が夫々形成され、各案内面の内側に楔溝３１が設けられている。上記案内面３３,３５の軸は、連結タップ２５に対して横ウェブ３８と反対側で、連結機構５０の上方、かつこの連結機構に連結された下顎モデル６８の略中心に存在する。
【００１２】
中間部材４０は、２つの対向する中実の縁部材４４,４６で囲まれる中央の支持板４８を備え、縁部分４４,４６は、円弧状の輪郭を有する。各縁部材の下面は、円筒殻状の滑り木として作られ、各滑り木の内側縁が楔溝３１に嵌合して、各滑り木が案内面３３,３５上を面接触しながら滑動するようになっている。中間部材４０を縁部分４４,４６または旋回テーブル３０の脚部３４,３６の少なくともいずれかへ固定する固定要素は、図示されていないが、中間部材によって一旦占められた旋回位置を取り外し可能に確定できる。
【００１３】
支持板４８は、図示しない中心貫通穴を有し、板状の連結機構に螺合する図示しないボルトが、上記中心貫通穴を貫いて延在する。従って、連結機構５０は、支持板４８上で上記ボルトの周りを旋回できるように支持板４８に取り付けられる。さらに、穴をあけた永久磁石５２が連結機構５０の中心に嵌め込まれ、この永久磁石は、磁化されうる金属の受板６０を連結機構５０の表面に固定するようになっている。
【００１４】
上記連結機構は、基準要素５４,５６を備える。第１の基準要素５４は、連結機構の隅部に凹部の形態で設けられ、更なる同様の基準要素が、連結機構５０の図１では見えない隅部に設けられている。第３の基準要素５６は、連結機構５０の側縁の一層大きい凹部であり、基準要素５４と向い合っている。
【００１５】
受板６０の下面の対向基準要素は、図示されていないが、上記下面からノブ状(noppenfoermig)に突出し、個々のノブは、基準要素５４,５６および図示しない基準要素に適合するような形状を有する。基準要素５６およびこれに対応する対向基準要素は、基準要素５４およびこれに対応する対向基準要素と異なった形状を有するので、受板６０は、連結機構５０上の予め定められた位置、つまり図示された位置のみに載せることができる。
【００１６】
かくて、下顎モデル６８は、連結機構５０に連結された後、連結機構と一緒に軸の周りに中間部材４０に対して無段式に相対回転でき、上記軸は、連結機構５０のための支持板４８を貫いて延びる組立てボルトの軸である。連結機構５０と支持板４８の間のノッチ手段は、図示されていないが、支持板４８に対する連結機構５０の段階式の相対回転を可能にする。さらに、シーソー状の中間部材４０は、軸の周りを案内面３３,３５に沿って旋回でき、上記軸は、連結タップ２５の長手軸と直交して延在する。かくて、下顎モデルは、上方から照明、つまり連結タップ２５の長手軸に沿って照明されたとき、総ての部分、特に下顎の総ての歯が、光によって影を作ることなく完全に照らされるように、連結タップ２５に対して調整されることができる。
【図面の簡単な説明】
【図１】  ３つの部分からなるホルダの分解斜視図である。
【図２】  歯科モデルを載せたホルダの概略側面図である。
【図３】  組み立てられたホルダの上面図である。
【図４】  図１〜図３のホルダを用いることができる歯科モデルのための光学的測定装置の概略図である。
【符号の説明】
１  板
２  スタンド
３  投影機
４  角枠３４３６
５  ＣＣＤカメラ
６  光軸
７,１２  表面
８  旋回テーブル
９  投影軸
１０  架台
１１  回転テーブル
１４  対象物
３１  楔溝
３２  ボディ
３３,３５  案内面
３４,３６  脚部
３８  横ウェブ
４０  中間部材
４４,４６  縁部分
４８  支持板
５０  連結機構
５２永久磁石
５４,５６  基準要素
６０  受板
６８  下顎
【図１】
0004087605.tif 000002
【図２】
0004087605.tif 000003
【図３】
0004087605.tif 000004
【図４】
0004087605.tif 000005